(57)【要約】【課題】  襟元、胸元を汚すことなくしっかりガードすると共に、袖口をも汚すことのないアームバンドを取り付け、アームバンドを使用しないときは仕舞っておけるポケットが形成されたエプロンの提供。【解決手段】  胸元から腹部を覆うカバー部１の胸部の下方に位置するところに受部６を形成、カバー部１の同側に於ける上部から胸部の中央部より下部にかけてのいずれかの側部とに掛け渡される左右一対の紐状体２の一方に、ひっかけ具５を摺動自在に取り付け、カバー部１の両側部に、先端にアームバンド１３が形成された紐状体１７を配設し、この紐状体及びアームバンドを収納するポケット１８が形成されたエプロン【選択図】図１
2008081874.tif 000002
【特許請求の範囲】
【請求項１】
上端縁部３が首なりの形状に切り欠かれた柔軟性のあるシートでカバー部１が形成されたエプロンであって、このエプロンの同側に於ける上部と胸部の中央部より下部にかけてのいずれかの側部とに掛け渡された左右一対の伸縮性のある紐状体２と、この紐状体２の一方に摺動自在に取り付けられた摺動部１２と、この摺動部１２に延設されたフック部１１を有するひっかけ具５とからなり、前記フック部１１を他方の紐状体２に掛けることを特徴とするエプロン。
【請求項２】
上端縁部３が首なりの形状に切り欠かれた柔軟性のあるシートでカバー部１が形成され、このカバー部１の胸部の下方に位置するところに袋状の受部６を有するエプロンであって、このエプロンの同側に於ける上部と胸部の中央部より下部にかけてのいずれかの側部とに掛け渡された左右一対の伸縮性のある紐状体２と、この紐状体２の一方に摺動自在に取り付けられた摺動部１２とこの摺動部１２に延設されたフック部１１を有するひっかけ具５と、このひっかけ具５に取り付けられた操作部材４とからなり、前記フック部１１を他方の紐状体２に掛けることにより前記エプロンを装着し、前記紐状体２の左右の下部を拡げることによって前記ひっかけ具を上に上げたり、前記操作部材４を引き下げることによって前記ひっかけ具を下に下げたりして、前記ひっかけ具５の移動を無理なく簡単に行うことにより、襟元の形に合わせて前記エプロンの上端縁部の位置を定めたり、体にフィットさせたり、楽に着脱できたりすることを特徴とするエプロン。
【請求項３】
前記カバー部１の両側部の肘が位置する付近に、先端にアームバンド１３が形成される紐状体１７を配設し、この紐状体１７が配設される付近にこの紐状体１７と前記アームバンド１３とが収納できるポケット１８を形成して、袖口を濡らすことも汚すこともなく、また、袖口をひっかけて食器を倒したり落としたりすることなく、使用しないときは収納しておくことができるアームバンドを付設することを特徴とする請求項１または請求項２記載のエプロン。
【請求項４】
前記紐状体２に摺動自在に配置される前記ひっかけ具５を、紐状体１４を介在させて取り付けることにより幅広い体型に対応できることを特徴とする請求項１ないし請求項３のいずれかに記載のエプロン。
【発明の詳細な説明】
【技術分野】
【０００１】
本発明は洗顔の際、どんなに気をつけても水はねにより濡れてしまう衿や胸元をカバーして濡らさずに思い切り洗顔ができ、同じく濡れてしまう袖口をたくし上げて止めておけるアームバンドが付設されるエプロンに関するものであり、また、幼児や体の不自由な人の食べこぼし等の胸元や袖口の汚れに対処できるエプロンに関する。
【背景技術】
【０００２】
洗顔をする際、飛び散る水はねにより衿や胸元を濡らしてしまったり、袖口を濡らしてしまう。
洗顔するときは美容に関心のある人なら出来れば首まで洗いたいぐらいの気持ちで洗っていると思われるが、その時、着ている服が衿なしならば通常エプロンと言われている胸元を汚さないもので充分カバーするに役立つが、衿付きの場合、洗顔しているときエプロンの首に接する縁部がぴったり首に付いていないと、衿がエプロンからはみ出してしまったり、隙間から水が入り込んだりとの恐れがあるので、着用している服の衿の状態（ハイネックあり、Ｙシャツ状の衿ありと様々）や体型に合わせて、首に接する縁部の位置がどんな状態になってもぴったり首に合っていられる様にしておかねばならない。
【０００３】
従来、衿や胸元を汚さないためのものとして考案されているものは、
１．首に巻き付け装着するものとして、弾性を備えた環状体を上端縁部と下端縁部とに配設し、首および胴に前記環状体を嵌め込んで装着できる保護衣（例えば特許文献１参照）、および、胸当て（例えば特許文献２参照）。
【０００４】
２．上端部の左右に配置される二本の紐を肩ごしに背中へ廻して交差させ、端部を胴の部分に種々の方法で係合させるものとして、
＊  背後の紐の交差部に日の字形状の留め具を用いる作業用エプロン（例えば特許文献３参照）
＊  一方の紐に他方の紐を通すことのできる調整紐を複数取り付けて、他方の紐を体型に合わせて調整紐のいずれか一つの中を通して紐の交差部の位置を任意に定めて多様な体型に合わせられるようにした作業用長尺エプロン（例えば特許文献４参照）。
【０００５】
３．上部域に取り付けられる環状帯部に首を通し、その環状帯部に接続される後引き紐部を引っ張って前掛部に係合させて多様な体型に合わせられるようにした防護用エプロン（例えば特許文献５参照）。
４．両端部に胸当てとする布への止め部が配置される二本の紐の、一方の紐の中程に取り付けられるひつかけ具を、他方の紐にかけることにより二本の紐を結合させる幼児用よだれかけの布地部つり具（例えば特許文献６参照）。
等がある。
【０００６】
また、袖口の濡れを防ぐものとしては、エプロンの肩に対応するショルダー部に、着脱自在に取り付けられている袖口金具の先端に具備されている挟持具により、たくしあげた袖口を止めてずり落ちないようにしたエプロン（例えば特許文献７参照）が出願されている。
【０００７】
また、幼児や体の不自由な人は手元が定かでないので食べこぼし等により胸元を汚してしまったり、パジャマや浴衣のように袖口が手首にピッタリしていない場合、袖口が食器のなかに入ってしまったり、袖口をひっかけて食器を倒してしまったり食卓から落としてしまったりする。
【０００８】
しかしながら、
☆  特許文献１および特許文献２に示される弾性のある環状体を首に嵌め装着するのは、簡単に着脱することができるものの、首に負担がかかりわずらしさを感じる人も、巻きついたときに息苦しさを感じる人もいるし、ある程度の太さが必要となるので夏などは暑苦しさを感じると思う。また、素材が拭けば汚れが落ちる合成樹脂では肌触りが悪くなるし、肌触りのよい布では首に密着するので汚れ易く洗濯しなければならない。
その上、ノーカラーで首元まで覆う必要がない場合でも首にしっかり巻きつくことになる。
【０００９】
☆  特許文献３においては、日の字形等の留め具を首近くに位置させれば、上端縁部は首に密着して襟元を濡らさずにすむが、装着するとき頭を潜らせるために下に下げた留め具を装着したあとエプロンの上端縁部を首にぴったり沿わせるため上に上げなければならず着脱が大変になる。
【００１０】
☆  特許文献４においては、調整紐を首近くに形成しておけば、上端縁部は首に密着して襟元を濡らさずにすむが、特許文献３同様な仕儀になり紐の操作が面倒で着脱が大変になる。
【００１１】
☆  特許文献５においては、環状帯部の中に頭を通さないと着用できないので、環状帯部を大きくとらなければならないが、上端縁部を首に密着させると、その大きくとった環状帯部の全てを背後で何らかの方法で収めねばならない。
特許文献２．３．４共に、頭を潜らせねばならず、その上、脇に付けられるＤ環に紐を通す造りの場合には腕までも通さなければならない。頭を入れたり出したりするということはたっぷりと幅がとられていればともかく、ヘアースタイルがくずれたりでやりたくないことであり、その上、使用する人の身に合わせて紐をホックやボタンで結合したり結んだりしなければならないので面倒なことになる。
また、どんなに太った人でも痩せた人でも汚れる胸元の広さは大差ないので、エプロンは家族で共有でき一つあれば済むが、家族の多様な体型に合わせるためには、ホック・ぼたん等止める箇所を多くしたり紐の長さを充分に取って対応しなくてはならないが、そうなると体の細い人にとっては余分な長さの紐があることになり扱いにくくなる。
【００１２】
☆  特許文献６においては、どの様な服装でもエプロンの首に接する縁部がしっかり首に接していられるよう、その時の服装によりひっかけ具の位置を変えなければならないので、ひっかけ具を摺動自在に取り付けて紐の交差部が簡単に移動できるようにしておかねばならない。また、例え摺動自在に形成されたとしても、首に密着させたいときに紐の下部を左右に開けばひっかけ具は上に上げられるが、下に下ろしたいとき、紐の上部を左右に開いたとしても限度がありひっかけ具は背中の中程までにしか下ろすことができないので、背中に手の廻らない人はひっかけ具を手にして外すことはできない。
【００１３】
☆  特許文献７の袖口の濡れを防ぐエプロンにおいては、
１．袖口を止める必要のない半袖着用等の洗顔の際は、前かがみになり洗面台に顔を突き出した時、肩から垂れる袖口金具がぶらつくので洗顔の邪魔になり挟持具を何処かに取り付けておかねばならない。
２．洗濯時の損傷を考えて着脱自在としてあるが、着脱自在とすることは紛失の原因となり、外して仕舞い忘れることもままあることである。
３．挟持具により袖口を挟む作業の際、袖口を止める方の腕は使うことができないので片手だけの作業となるが、作業する手は自分の好みの方向からではなく、左手に対しては右方向からの作業、右手に対しては左方向からの作業と、決められた手の向きによって作業しなければならない。その上、ただでさえ不自由な思いで作業しなければならないのに、利き腕の作業はともかくとして利き腕でない側の手による作業は不器用な人にとっては楽なものではないと思われる。
【００１４】
４．挟持具により挟んで止めるということは、バネを使用し、支点を境とする挟む部分の反対側を指で挟んで、挟む部分を開いて挟むか、または、支点を中心にして右にある抑えを左に移して挟み止めることになると思う。前者は最低二本の指を使ってつままねばならず、また、指先の力をあまり使わず楽に止め部を開かせるにはつまむ部分を長くとらねばならないので挟持具を大きく形成しなければならない。また、後者は片手で作業するには複雑すぎる。
５．袖口を濡らさないためには、肘より上に係止しなければならず、肩から肘上までの長さが短いので、伸縮性のある部材を使用しても長さの遊びは最低限に治めねばならず作業の難儀さが更に重なることになる。
６．挟持具により挟んで止める時、どうしても引っ張りながらの作業となるので、エプロンの肩の部分、特に背部に当たる部分が左右連結されたしっかりした形の造りでないと本来のエプロンの形が崩れてしまい時によっては不都合が起こる可能性がある。
【００１５】
また、食べこぼしに対応するエプロンにおいては様々なエプロンが出廻っているが、装着に手間がかかったり、体にフィットしなかったり（使用する人が平常な意識を持たない人であったりする場合、装着したあと体に馴染まないと嫌がって取り外そうとしたりする）するので使い勝手のよいものが望まれているがなかなか手に入らない。介護の現場においては、特に入院している場合、食事時の介護には人手がないため手が廻らず、食べこぼして汚すエプロンの後始末や、エプロンが役に立たない程の汚しよう等に介護人は大変な思いをしているのが現状である。また、高価なエプロンを購入しなければならいのに、洗濯による消耗や素材の劣化等によりエプロンの寿命が短いため度々買い換えないといけないという負担をしいられている。
また、食事中の袖口の汚れや袖口が引き起こす災害についての対応が成されていない。
【００１６】
【特許文献１】特開          ２００２−１１５１０７号
【特許文献２】特開          平１０−２１９５０５号
【特許文献３】特開          ２００３−１９３３０７号
【特許文献４】実用新案登録  第３１２１１５４号
【特許文献５】特開          ２００５−１１３３４６号
【特許文献６】公開実用      昭５２−１１５３３９号
【特許文献７】実用新案登録  第３１１２９５７号
【発明の開示】
【発明が解決しようとする課題】
【００１７】
本発明は以上のような従来の欠点に鑑み、安価で製造でき、耐用年数が長く、体に違和感なくフィットし、簡単な作業をすることで多様の体型や衿の形に合わせて襟元の濡れや胸元の汚れをガードし、頭を潜らせたり、ホックやボタン止め等の面倒な作業がなく、背中に手の廻らない人でも楽にひっかけ具を手にすることができ無理のない姿勢で楽に着脱でき、楽な作業で嵌めることのできるアームバンドを洗顔の際邪魔にならぬよう付設し、しかも、必要ない時には収納しておけることのできるエプロンを提供する。
本発明の前記ならびにその他の目的と新規な特徴は次の説明を添付図面と照らし合わせて読むと、より完全に明らかになるであろう。
但し、図面はもっぱら解説のためのものであって、本発明の技術的範囲を限定するものではない。
【課題を解決するための手段】
【００１８】
上記目的を達成するために、本発明は上端縁部３が首なりの形状に切り欠かれた柔軟性のあるシートでカバー部１が形成されたエプロンであって、このエプロンの同側に於ける上部と胸部の中央部より下部にかけてのいずれかの側部とに掛け渡された左右一対の伸縮性のある紐状体２と、この紐状体２の一方に摺動自在に取り付けられた摺動部１２と、この摺動部１２に延設されたフック部１１を有するひっかけ具５とから構成したものであり、前記フック部１１を他方の紐状体２に掛けることにより、幼児や体の不自由な人に違和感無く体にフィットさせることができて汚れをガードできるエプロンを、介護人が簡単に操作して装着させることができるようにした。
【００１９】
また、上端縁部３が首なりの形状に切り欠かれた柔軟性のあるシートでカバー部１が形成され、このカバー部１の胸部の下方に位置するところに袋状の受部６を有するエプロンであって、このエプロンの同側に於ける上部と胸部の中央部より下部にかけてのいずれかの側部とに掛け渡された左右一対の伸縮性のある紐状体２と、この紐状体２の一方に摺動自在に取り付けられた摺動部１２とこの摺動部１２に延設されたフック部１１を有するひっかけ具５と、このひっかけ具５に取り付けられた操作部材４とから構成したものであり、前記フック部１１を他方の紐状体２に掛けることにより前記エプロンを装着し、前記紐状体２の左右の下部を拡げることによって前記ひっかけ具を上に上げたり、前記操作部材４を引き下げることによって前記ひっかけ具を下に下げたりして、前記ひっかけ具５の移動を無理なく簡単に行うことにより、襟元の形に合わせて前記エプロンの上端縁部の位置を定めたり、体にフィットさせたりして、楽に着脱できるようにした。
【００２０】
また、前記カバー部１の両側部の肘が位置する付近に、先端にアームバンド１３が形成される紐状体１７を配設し、この紐状体１７が配設される付近にこの紐状体１７と前記アームバンド１３とが収納できるポケット１８を形成して構成したものであり、袖口を濡らすことも汚すこともなく、使用しないときはアームバンドを収納しておくことができるようにした。
また、前記紐状体２に摺動自在に配置される前記ひっかけ具５を、紐状体１４を介在させて取り付けて構成したものであり、幅広い体型に対応できるようにした。
【発明の効果】
【００２１】
以上の説明から明らかなように、本発明にあっては次に列挙する効果が得られる。
（１）上端縁部３が首なりの形状に切り欠かれた柔軟性のあるシートでカバー部１が形成されたエプロンであって、このエプロンの同側に於ける上部と胸部の中央部より下部にかけてのいずれかの側部とに掛け渡された左右一対の伸縮性のある紐状体２と、この紐状体２の一方に摺動自在に取り付けられた摺動部１２と、この摺動部１２に延設されたフック部１１を有するひっかけ具５とからなり、前記フック部１１を他方の紐状体２に掛けることにより前記エプロンを装着することで構成されているので、上端縁部の首に接する位置も好みの位置に決めることが出来るし、カバー部１が合成樹脂といえども柔軟性のある体に馴染みやすい厚み約０．２ミリ前後と薄いシートで形成されることにより、その切り口が肌に当たっても首に対する当たりも柔らかで突き刺さるような不快感がなく、違和感無く上端縁部をその時々の好みの位置に合わせて装着できるので嫌がらずにエプロンをつけてくれる。
【００２２】
（２）前記（１）によって、伸縮性のある紐状体２を使用しているので、ひっかけ具５を掛ける時や外す時のひっかけ具５の移動範囲を広めることができるので、楽にひっかけたり外したりできる。
（３）前記（１）によって、紐状体２は摺動自在に取り付けられたひっかけ具５により結合されているので、ひっかけ具の位置を上下することにより、厚着、薄着に対応でき、従って紐状体２の長さを調節しなくとも多少の太い細いの体型に合わせることができる。
【００２３】
（４）前記（１）によって、文献１および文献２のエプロンは、胴に嵌める環状体が嵩張るのでそれ以内には小さくならないが、本発明は折り畳んでコンパクトに収納することができるし、透明のシートを使用すれば存在感がないので掛けておいてもそれほど目障りにならない。
【００２４】
（５）上端縁部３が首なりの形状に切り欠かれた柔軟性のあるシートでカバー部１が形成され、このカバー部１の胸部の下方に位置するところに袋状の受部６を有するエプロンであって、このエプロンの同側に於ける上部と胸部の中央部より下部にかけてのいずれかの側部とに掛け渡された左右一対の伸縮性のある紐状体２と、この紐状体２の一方に摺動自在に取り付けられた摺動部１２とこの摺動部１２に延設されたフック部１１を有するひっかけ具５と、このひっかけ具５に取り付けられた操作部材４で構成されているので、カバー部１が柔軟性のあるシートで形成されることにより、洗顔の際、上端縁部が首にぴったり合っていなくとも少しぐらいの差なら首に沿う形に変形してくれるので衿元をしっかりカードすることができる。首にしっかり合ったとしてもシートの厚みは０．２ミリ前後と薄く、その切り口が肌に当たるので首に対する当たりも柔らかで突き刺さるような不快感がなく、文献１および文献２に記載の柔軟性のある環状体と異なり肌に接する部分が少なくてすみ、合成樹脂といえども首にまとわりつかず肌に不快感を与えることはない。
【００２５】
（６）前記（５）によって、操作部材４のつけられたひっかけ具５が摺動自在に付けられているので自分で操作する時、下記に示す効果がある。
１．ひっかけ具５の位置が手の届かない上方にあっても操作部材４を引くことで簡単に下方に移動させることができる。
２．紐状体２に手を通してカバー部１を装着すると、ひっかけ具５は重量の関係で常に下に位置するので苦労なく手にすることができ、相手方の紐状体２にひっかけることができる。
３．ひっかけ具５は裾近くでひっかけても、裾を左右に開けば上に上がり、操作部材４を手にして下に引けば下がるので、首に接する上端縁部３の位置を、トックリ衿のときには顎近くに位置させ、衿なしのときはその時の服の衿縁近くに合わせて、操作部材４を下に引くと上端縁部３がそれぞれの衿に合った状態でエプロンを体にフィットさせることができ、背中に手の廻せない人でも簡単に着脱することができる。
【００２６】
（７）前記（５）によって、カバー部１に受部６が形成されているので、水分を吸収せずはじいてしまう素材を使用しても、表面を伝い落ちる水分を受け止めて落下させずにすむ。
（８）前記カバー部１の両側部の肘が位置する付近に、先端にアームバンド１３が形成される紐状体１７を配設し、この紐状体１７が配設される付近にこの紐状体１７と前記アームバンド１３とが収納できるポケット１８を形成したことによって構成されているので、アームバンドをはめることにより洗顔の際袖口を濡らすことなく、また、食事の際袖口を汚したり袖口にひっかけて食卓上の食器を倒したり落としたりすることもない。使用しないときは収納しておくことができるので半袖のときなど必要ないときはすっきりとした状態で洗顔や食事ができ、所在不明になりやすいアームバンド１３を必要なとき何時でも取り出して腕に嵌め袖口を濡らさずに洗顔ができ、袖口を汚さず食事が出来る。
【００２７】
（９）前記（８）によって、アームバンドは肘が当たる付近のエプロンの両脇に取り付けられているので、ポケットに収納しなくとも洗顔の邪魔にならない。
（１０）前記（８）によって、アームバンド１３を手に嵌める時は両手を使いながら嵌められ、指一本でも上に上げることが可能である。
【００２８】
（１１）前記ひっかけ具５を、紐状体１４を介在させて前記紐状体２に摺動自在に取り付けることにより構成されているので、幅広い体型に対応できる。
（１２）前記（１１）によって、体の大きな人でも汚れる胸元の範囲は大差ないので、カバー部１の形態はそのままでも紐状体１４で幅調節をすれば多様な体型により広範囲に対応できるので太った人やせた人のいる家族でも共有でき、また、旅館の宿泊客のように補佐するものがままならない旅先での浴衣を着ての朝の洗顔は誰もが袖口の濡れを気にしながらしていることと思えるが、本発明のアームバンド付きのエプロンの着用により、浴衣の濡れを心配することなく気持ち良く洗顔できることと思える。大きなサービスとなるこのようなことで使用する人が大小様々であったとしても一つで使い回すことができるので安価で提供することができる。
（１３）請求項２も前記（１）〜（４）と同様な効果が得られ、請求項３も前記（１）〜（７）と同様な効果が得られ、請求項４も前記（１）〜（１０）と同様な効果が得られる。
【実施例１】
【００２９】
以下、図面に示す実施するための最良の形態により、本発明を詳細に説明する。
図１ないし図８の本発明の第一の実施するための最良の形態において、この例に示すエプロンは、図１に示すようにカバー部１と、装着するとき腕を通すための、カバー部１の同側に於ける上部と胸部の中央部より下部にかけてのいずれかの側部とに掛け渡した左右一対の伸縮性のある紐状体２と、該紐状体２の下方の先につながる、先端にアームバンド１３が形成される紐状体１７とで形成され、紐状体２を互いに結合させるためのひっかけ具５が、紐状体２の一方に摺通自在に取り付けられることにより構成される。
【００３０】
図１に示す一例に当たるカバー部１は、肩からウエスト付近までを覆う形で形成され、上端縁部３は首とエプロンとの隙間から水が入り込まないよう首に沿わせる形で切り欠く。
下端縁部は、カバー部１の表面を伝わり落ちる水分が落下しないよう前面に折り返して受部６を形成する。その受部６の両脇には、図３に示すよう点線１６上を止め合わせて、脇を開口部とする紐状体１７とアームバンド１３とを収納するためのポケット１８を形成する。尚、このポケット１８は脇を開口部としても、脇を閉じて上部を開いて開口部としてもよいものとする。
【００３１】
受部６の開口部は、下端縁部の寸法を、下端縁部が折り返されたとき縁部が位置する箇所のカバー部１の横幅より広くすることで、受部６の開口部がカバー部１にぴったりつかないで自然に少し開く形になる。
尚、受部６は図５に示すよう幼児や体の不自由な人が食事をするときの食べこぼしを受け止めることが出来るよう、受部６の開口部を大きく開けるために三角形等のマチなど入れて形成してもよいものとする。
また、カバー部１の丈はこの例ではウエスト付近までとしたが、図６に示すよう丈を腹部を覆うことが出来る丈としても良く、受部６は下端縁部を折り返して形成することなく別に取り付けてもよく、ポケット１８も別に形成してもよいものとする。
【００３２】
図１と図２とに示すよう配置される紐状体２が通るに丁度良い大きさの孔７を、カバー部１の左右の上部と側部とにあけるが、この孔７は通される紐状体が引っ張られてもカバー部１が耐えられる強度が保たれるよう力となる部材８を取り付けておくとよい。
素材は、水分を通さない柔軟性のあるビニール等の合成樹脂で形成すれば内部に水がしみ込むことはなく、汚れは拭けば落ち、製作する際に切り口の始末の必要がないので手間をかけずに済む。しかし、合成樹脂の肌触りが気になるようなら布の表面に合成樹脂をコーティングしたものを使用してもよいものとする。その場合は、折り返される収納部６は裏面が表面に出てしまうので再度折り返したりして表面に出るところに濡れがしみ込まないようにしておくとよい。厚みは特定するものではないが０．２ミリ位のものが突っ張りもせず体に馴染んで使い易い。
【００３３】
紐状体２は、ゴム紐等の伸縮性のある紐を使用すると、広範囲の体形に対応できると共に、着脱の際に作業しやすい箇所に紐状体２を引っ張り延ばしてひっかけ具５の掛け外しの操作を楽にすることができる。
図２に示すよう紐状体２の一端部をカバー部１の片側の上部にあけられる孔７を通してビーズ９の孔を通した上、始めに通した孔７を通して元に戻して端部を結んで摺通自在に固定した上、紐状体２の一方にひっかけ具５を摺通自在に取り付けながら体に装着できる長さをとって、他端部を同側の側部にあけられる孔７を通してビーズ９の孔を通して、始めに通した孔７を通して元に戻した上、腕の動きに対しての必要量の長さをとった紐状体１７の先に、ビーズ９の孔を通し、紐状体がビーズ９より抜け落ちないよう任意の箇所に結び目１０を作った上で、ビーズ９の孔を通して元の位置に戻し、二本の紐状体２を一度に結んで結び目１０を作り、ビーズ９の位置を移動させることにより長さ調節のできるアームバンド１３とする。この際、二本の紐状体を一度に結んでも、紐同志を固定しても良く、紐状体２の端部に結び目１０を作り紐状体がビーズより抜けないようにしても良いものとする。
【００３４】
カバー部１の上部に取り付けられる紐状体２は、結び目１０が作られる紐状体の端部をビーズ９を移動させながら引き出すことでカバー部１の上部と側部との間の紐状体の長さ調節ができる。
また、側部に配置されるビーズ９の取り付け方を、カバー部１の側部にあけられた孔７を通した紐状体２にビーズ９を通し、任意の箇所に結び目１０を作りビーズ９〜孔７を通して元に戻す方法で、ビーズを移動させて長さ調節をしてもよいものとする。
また、力となる部材８を分厚い部材を使用して紐状体を通すことができる最低限の大きさの孔をあけることでビーズ９の代わりとしても良いものとする。
【００３５】
体に装着する為の紐状体２とアームバンド１３として使用する紐状体１７とを一連としたことで、側部に位置するビーズ９を持ってカバー部１より紐状体を引出し、裏側のどちらかの紐状体を引き出してビーズ９をカバー部１に密着させることにより、ビーズ９を境とした紐状体の長さを互いに融通しあいながら長さ調節することができ、任意に長さの微調整ができる。
ビーズ９の孔の大きさは、二本の紐状体を通すことができる最低限の大きさとすることが必要である。
尚、紐状体２と紐状体１７とを一連として形成せずに、体に装着する部分と先端にアームバンド１３を形成する部分とを別々に分けて形成して取り付けてもよいものとし、取り付け方もビーズを使わず必要箇所を固定したりして取り付けても良く、また、他の長さ調節具を取り付けても良いものとし、アームバンド１３はビーズで長さ調節をせずに他の長さ調節具を使用しても、紐状体１７に輪にしたゴム紐等を取り付けても良いものとする。
また、紐状体１７の素材は、紐状体２と同じでもよく他の素材を使用しても良いものとする。
【００３６】
ひっかけ具５は、図４に示すよう一端部にフック部１１を形成し他端部に摺動部１２として輪を形成し、操作部材４として紐を付設し、摺動部１２を紐状体２の一方に摺動自在に取り付け、図８に示すようフック部１１を相手方の紐状体２にかけて紐状体２を互いに結合する。
尚、操作部材４を紐にせず鎖や棒状体等を使用してもよいものとする。
摺動部１２の輪を二重リング仕様にしておくとひっかけ具５を作業工程のなかで紐状体２に取り付けなくとも後で嵌め込むことができ、図１１に示す幅調節の機能を持つ紐状体１４を後に付け足すことができる。ひっかけ具５に操作部材４を取り付けることにより、操作部材４を手にして下に引くとひっかけ具５が手の届かない上部にあっても楽に引き下ろすことができる。
【００３７】
本エプロンの使い方としては、紐状体２に腕を通してカバー部１を胸に当てフック部１１を相手方の紐状体２に掛けて装着するが、紐状体２に腕を通せば摺通自在に取り付けられているひっかけ具５は重量の関係で常に下方に位置するので探さず簡単に手にすることができると共に、紐状体２は伸縮性があるので、多様の体形に対応でき、作業のしやすいところまで延ばしてひっかけ具を相手方の紐状体に引っかけることができる。
装着したあと紐状体２の下部を左右に開けばひっかけ具５は結合したまま上に引き上げられる。外す時も、例えひっかけ具５が上のほうに位置していても、操作部材４を手にして下に引けばひっかけ具５は下方に位置されるので簡単に手にすることができ、背中の上部に手を廻したりの無理をせずに楽に外すことができる。
【００３８】
また、上端縁部３を着ている服の衿に合わせてから操作部材４を引くと襟元をしっかりガードしながらエプロンは体にフィットするので、多様な衿に合わせながら、薄着のとき厚着のときにそれなりに対応できるし、紐状体２の長さ調節をしなくとも多少の体型の太さ細さにも対応できる。従って、一つあれば家族で共有でき、肌触りの悪い合成樹脂を素材に使用しても、肌に接する面が最小限にとどめられるのでそれほどの不快感を味わうことなく使用でき、拭けば汚れを落とすことが出来る。
【００３９】
次に図９および図１３に示す本発明を実施するための異なる形態について説明する。なお、これらの本発明を実施するための異なる形態の説明に当たって、前記本発明の第一の実施するための最良の第一の形態と同一構成部分には同一符号を付して重複する説明を省略する。
【実施例２】
【００４０】
図９および図１０に示す本発明の第２の実施するための形態において、前記本発明の第１の実施するための最良の形態と主に異なる点は、アームバンド１３を取り付けることなく、胸元及び衿元だけの汚れに対応できる点で、使用する人のなかにはアームバンドは不必要とする人もいると思えるし、かえっていろいろ付属品が付くのは煩わしいと考える人にとってはシンプル  イズ  ベストになると思える。この様に構成したエプロンにしても前記本発明の第１の実施するための形態と同様な作業効果が得られる。
【００４１】
図９および図１０に示すよう上部に取り付けられる紐状体２の一端部は実施例１と同様に取り付け、他端部も一端部と同様に取り付ける。長さ調節は紐状体２の端部を引き出すことによってできる。尚、ビーズを使わずに紐状体２の端部を固定し、紐状体２に長さ調節具を配設してもよいものとする。
【実施例３】
【００４２】
図１１に示す本発明の第３の実施するための形態において、前記本発明の第１および第２の実施するための最良の形態と主に異なる点は、ひっかけ具５を紐状体１４を介して紐状体２に摺動自在に取り付けて幅調節ができる様にする点で、この様に構成したエプロンにしても前記本発明の第１および第２の実施するための形態と同様な作業効果が得られ、使用する人の異なる体型に広範囲に適応できる。
【００４３】
図１１に示すようひっかけ具５の摺動部１２と、紐状体２に摺通自在に取り付けられたリング１５との中を摺動する紐状体１４の両端部を一つにして、ビーズ９の孔を通した上、端部に結び目１０を作ることによりビーズ９を移動することで紐状体１４の長さ調節ができ、紐状体２を巾をあけて互いに結合でき、より多様な体型に対応できる。紐状体１４をゴム紐にするとより以上に広範囲に適応できる。紐状体１４はビーズを使わず輪状に形成してもよく、それに長さ調節が出来る器具を取り付けてもよく、紐状体１４を長くとり操作部材４の役目をも兼ね備えさせても良いものとする。なお、リング１５を使用せず摺動部１２の中を摺動する紐状体１４の輪のなかに紐状体２をくぐらせて摺動自在に取り付けてもよいものとする。
【実施例４】
【００４４】
図１２に示す本発明の第４の実施するための形態において、前記本発明の第１ないし第３の実施するための最良の形態と主に異なる点は、ひっかけ具５に操作部材４を取り付けることなく形成した点で、この様に構成したエプロンにしても、介護を受けなければならない状態におかれ自分でエプロンを装着できない人は介護人により装着することになるので、不必要な操作部材４を取り付けなくとも前記本発明の第１ないし第３の実施するための形態と同様な作業効果が得られる。
【実施例５】
【００４５】
図１３に示す本発明の第５の実施するための形態において、前記本発明の第４の実施するための最良の形態と主に異なる点は、先端にアームバンド１３が形成される紐状体１７が肘が当たる付近の側部に配置され、その近くにアームバンド１３と紐状体１７が収納されるポケット１８が形成された点で、前記本発明の第１ないし第４の実施するための形態と同様な作業効果が得られ、本人の意志に係わらず予期せぬ動きをしてしまったりする病人の、ピッタリしていない袖口の汚れを防いだり、卓上の食器を倒したり払い落としたりしないようにしたものである。
【図面の簡単な説明】
【００４６】
【図１】本発明の第１の実施の形態における正面図
【図２】図１のＡ線に沿う断面図
【図３】本発明の受部の一部切り欠きの斜視図
【図４】本発明のひっかけ具の斜視図
【図５】本発明の受部の一部切り欠きの斜視図
【図６】本発明の第１の実施の形態における他例の正面図
【図７】本発明を装着した正面図
【図８】本発明を装着した背面図
【図９】本発明の第２の実施の形態における正面図
【図１０】図９のＡ線に沿う断面図
【図１１】本発明の第３の実施の形態におけるひっかけ具の斜視図
【図１２】本発明の第４の実施の形態における正面図
【図１３】本発明の第５の実施の形態における正面図
【符号の説明】
【００４７】
１．カバー部
２．紐状体
３．上端縁部  
４．操作部材
５．ひっかけ具
６．受部
７．孔
８．力となる部材
９．ビーズ
１０．結び目
１１．フック部
１２．摺動部
１３．アームバンド
１４．紐状体
１５．リング
１６．点線
１７．紐状体
１８．ポケット
１９．マチ
【図１】
2008081874.tif 000003
【図２】
2008081874.tif 000004
【図３】
2008081874.tif 000005
【図４】
2008081874.tif 000006
【図５】
2008081874.tif 000007
【図６】
2008081874.tif 000008
【図７】
2008081874.tif 000009
【図８】
2008081874.tif 000010
【図９】
2008081874.tif 000011
【図１０】
2008081874.tif 000012
【図１１】
2008081874.tif 000013
【図１２】
2008081874.tif 000014
【図１３】
2008081874.tif 000015